(57)【特許請求の範囲】
【請求項１】
導電性の操作部材に導電性のバネが接触し、このバネは導電性の筐体に接触し、この筐体には基板のグランドラインが接触している電子機器の操作部材の放電構造であって、
前記バネは、前記操作部材に操作方向と異なる方向に押しつけられて接触し、前記操作部材と接触していない部分が一対の部材により縮められた状態で挟まれて配置され、当該一対の部材は前記筐体に接触し、少なくとも一方の部材が導電性を有していることを特徴とする電子機器の操作部材の放電構造。
【請求項２】
請求項１に記載の電子機器の操作部材の放電構造において、
前記操作部材の内部には前記バネの収容空間が形成され、前記バネは中間部分が前記収容空間内に配置されて前記操作部材に押しつけられて接触し、両端側の部分が前記操作部材の外側に配置されて前記筐体に接触していることを特徴とする電子機器の操作部材の放電構造。
【請求項３】
導電性の操作部材に導電性のバネが接触し、このバネは導電性の筐体に接触し、この筐体には基板のグランドラインが接触している電子機器の操作部材の放電構造であって、
前記操作部材の内部には前記バネの収容空間が形成され、前記バネは中間部分が前記収容空間内に配置されて前記操作部材に操作方向と異なる方向に押しつけられて接触し、両端側の部分が前記操作部材の外側に配置されて前記筐体に接触していることを特徴とする電子機器の操作部材の放電構造。
【請求項４】
請求項３に記載の電子機器の操作部材の放電構造において、
前記バネの両端側の部分が前記操作部材の操作方向と同じ方向に配置される場合には、前記操作部材に当該両端側の部分を内側から外側に出す抜出部を設け、この抜出部は前記操作部材の操作時に当該両端側の部分が前記操作部材と接触しないように形成されていることを特徴とする電子機器の操作部材の放電構造。
【発明の詳細な説明】
【技術分野】
【０００１】
本発明は、デジタルカメラ等の電子機器における操作部材の放電構造に関する。
【背景技術】
【０００２】
従来より、デジタルカメラ等の電子機器では、操作部材に静電気が帯電した場合、静電気が基板の信号ラインに流れて誤作動するのを防ぐために、静電気を基板のグランドラインに流して放電する電子機器の放電構造が用いられている（例えば特許文献１参照）。
【０００３】
特許文献１の電子機器では、導電性の操作部材の操作によって移動する導電性の移動部材と、移動部材を移動可能に保持する非導電性の保持部材と、移動部材（操作部材）を初期位置に戻す力を与える戻しバネと、戻しバネに接触するとともに前カバー（筐体）を介して基板のグランドラインに接触する導電性のアース部材とを有している。
【０００４】
この電子機器に用いられている放電構造では、操作部材に接触した移動部材が戻しバネに接触し、戻しバネがアース部材に接触し、アース部材が基板のグランドラインに接触している。したがって、操作部材に静電気が帯電した場合には、静電気は、移動部材、戻しバネ、アース部材を介して基板のグランドラインに流れて放電されるので、静電気を基板の信号ラインに流れてしまうのを防止している。
【発明の概要】
【発明が解決しようとする課題】
【０００５】
しかしながら戻しバネは、操作部材に帯電した静電気をグランドラインに導く機能を備えている一方、操作部材を初期位置に戻す機能も備えている。つまり、戻しバネは操作部材に対して操作方向と同じ方向に力を与えているので、操作部材の操作性は戻しバネのバネ力に依存することになる。したがって、長期間の使用等によりバネ力が弱まると操作部材の操作性に影響を与えてしまう。
【０００６】
本発明は、このような従来の課題に鑑みてなされたものであり、操作部材の操作性に影響を与えずに操作部材に帯電した静電気が基板の信号ラインに流れるのを防ぐことができる電子機器の操作部材の放電構造を提供することを目的とする。
【課題を解決するための手段】
【０００７】
本発明者等は、鋭意研究の結果、前記課題を解決するために以下のような電子機器の操作部材の放電構造を採用した。
【０００８】
本発明の電子機器の操作部材の放電構造では、
導電性の操作部材に導電性のバネが接触し、このバネは導電性の筐体に接触し、この筐体には基板のグランドラインが接触している電子機器の操作部材の放電構造であって、
前記バネは、前記操作部材に操作方向と異なる方向に押しつけられて接触し、前記操作部材と接触していない部分が一対の部材により縮められた状態で挟まれて配置され、当該一対の部材は前記筐体に接触し、少なくとも一方の部材が導電性を有していることを特徴とする。
【発明の効果】
【０００９】
本発明の電子機器の操作部材の放電構造では、操作部材に対してバネを操作方向と異なる方向に押しつけて接触するようにした。したがって、操作部材の操作性はバネのバネ力に依存しないので、長期間の使用等によりバネ力が弱まっても操作部材の操作性に影響を与えることがない。また、操作部材に静電気が帯電した場合、静電気は筐体を介して基板のグランドラインに流れて放電される。よって、電子機器の操作部材の放電構造は、操作部材の操作性に影響を与えずに操作部材に帯電した静電気が基板の信号ラインに流れるのを防ぐことができる。
【図面の簡単な説明】
【００１０】
【図１】本発明の一実施の形態を示すデジタルカメラ本体の前側部分の斜視図である。
【図２】図１の分解斜視図である。
【図３】同実施の形態の操作部とトップカバーの分解斜視図である。
【図４】同実施の形態の操作部の斜視図である。
【図５】同実施の形態の操作部をトップカバーに組み付けた状態を示す図である。
【図６】同実施の形態のデジタルカメラ本体の前側部分において操作部とその周りの部分の斜視図である。
【図７】（ａ）は操作部材の初期状態を示す図であり、（ｂ）は操作部材の操作状態を示す図である。
【図８】バネが操作部材の外側に配置された状態を示す図である。
【発明を実施するための形態】
【実施例】
【００１１】
以下、本発明の実施の形態を図にしたがって説明する。
【００１２】
図１は本発明の一実施の形態を示すデジタルカメラ本体の前側部分１の斜視図であり、図２は図１の分解斜視図である。デジタルカメラ本体の前側部分１は、前カバー２（筐体）と、前カバー２の上に順に配置された板部材３、操作部４、トップカバー５とを備えている。
【００１３】
前カバー２は金属等の導電性の部材により後面が開口した箱状に形成されている。前カバー２の上部の外面２ａには、板部材３が嵌め込まれる収容口２１が形成されている。上部の内面２ｂには、ワッシャー等のスペーサ（図示せず）を介して基板６が取り付けられている。
【００１４】
基板６の上面には、図示しないが信号ラインとグランドラインとが形成されている。さらに基板６の上面には、タクトスイッチ６１，６１が左右に配置されて収容口２１から露出して設けられている。このタクトスイッチ６１，６１は非導電性の部材から形成されている。さらに、このタクトスイッチ６１，６１は信号ラインに接続しており、操作部４により押されるものである。図２では、左側のタクトスイッチ６１を示す。
【００１５】
板部材３は金属等の導電性の部材により板状に形成されている。この板部材３の上面３ａには、タクトスイッチ６１が露出する露出口３１が形成されている。
【００１６】
操作部４は、図３に示すように操作部材４１と、操作部材４１の内部に配置されるバネ４２と、操作部材４１とバネ４２とに通される回転軸４３とを備えている。
【００１７】
操作部材４１は金属等の導電性の部材により形成されており、板部材３の露出口３１を介してタクトスイッチ６１に接触して配置されている。また、この操作部材４１は下面が開口した箱状に形成されており、内部にはバネ４２の収容空間４１ｓが形成されている。操作部材４１の上部には、キートップ４１１が形成されている。このキートップ４１１は左右に回動されて操作されるものである。
【００１８】
キートップ４１１の下側には、回転軸４３を回転可能に支持する一対の支持部４１２，４１３が前後に形成されている。この支持部４１２，４１３には、回転軸４３を通す支持穴４１２ａ，４１３ａが形成されている。この支持穴４１２ａ，４１３ａは、後側の支持穴４１３ａの径が前側の支持穴４１２ａの径よりも大きく形成されている。
【００１９】
支持部４１２，４１３の間の中間部分には、一対の押し下げ部４１４，４１４が左右に設けられている。この押し下げ部４１４，４１４はタクトスイッチ６１，６１に接触している。さらに、この押し下げ部４１４，４１４は、操作部材４１が左方向に回動したときに左側の押し下げ部４１４が左側のタクトスイッチ６１を押し下げ、右方向に回動したときに右側の押し下げ部４１４が右側のタクトスイッチ６１を押し下げるように形成されている。
【００２０】
押し下げ部４１４，４１４の近傍には、一対の切り欠き４１５，４１５（抜出部）が設けられている。各切り欠き４１５は、操作部材４１の下端から上に向けて切り欠かれている。また、図４に示すように各切り欠き４１５は、バネ４２の脚部４２２，４２２（両端側の部分）を内側から外側に通すように形成されている。さらに、各切り欠き４１５は、操作部材４１の操作時に脚部４２２，４２２が操作部材４１と接触しないように形成されている。なお、図４では左側の脚部４２２を示している。
【００２１】
バネ４２は金属等の導電性の部材により形成されており、図３に示すように中間部分に形成された伸縮部４２１と、伸縮部４２１の両端側に形成された脚部４２２，４２２とを備えている。
【００２２】
伸縮部４２１は、中間に通し部４２１ａが形成されている。この通し部４２１ａは螺旋状に巻かれて前後に伸縮可能に形成されており、回転軸４３が通る通し穴４２１ｂが形成されている。伸縮部４２１の両側部４２１ｃ，４２１ｃは水平に延びて形成されている。
【００２３】
脚部４２２，４２２は、伸縮部４２１の両端に形成された垂直上方延長部４２２ａ，４２２ａと、垂直上方延長部４２２ａ，４２２ａの先端に形成された屈曲部４２２ｂ，４２２ｂとを備えている。
【００２４】
垂直上方延長部４２２ａ，４２２ａは、伸縮部４２１の両端から垂直上方に延びて形成されている。屈曲部４２２ｂ，４２２ｂは上方へ突出する山形状に折り曲げられて形成されている。具体的に説明すると屈曲部４２２ｂ，４２２ｂは、垂直上方延長部４２２ａの先端から折り曲げ部分４２２ｃまで斜め上方に延びる斜め上方延長部４２２ｄと、折り曲げ部分４２２ｃから斜め下方へ延びる斜め下方延長部４２２ｅとを備えている。
【００２５】
回転軸４３は、前部４３ａが、中間部４３ｂや後部４３ｃよりも細く形成されている。また、中間部４３ｂから後部４３ｃは後方へ向けて太くなるように形成されている。
【００２６】
トップカバー５は樹脂等の非導電性の部材により板状に形成されている。トップカバー５の上面５ａには、操作部材４１のキートップ４１１が露出する露出口５１が形成されている。トップカバー５の下側には、操作部４を回転可能に支持する一対の支持部５２，５３が前後に形成されている。
【００２７】
この支持部５２，５３には、操作部４の回転軸４３を通して支持する支持穴５２ａ，５３ａが形成されている。この支持穴５２ａ，５３ａは、後側の支持穴５３ａが前側の支持穴５２ａよりも大きく形成されている。
【００２８】
前側の支持穴５２ａは回転軸４３の前部４３ａを通した状態で固定して支持するように形成されている。後側の支持穴５３ａは回転軸４３の後部４３ｃを通した状態で固定して支持するように形成されている。また、この支持穴５２ａ，５３ａにより操作部４の前後方向位置が規制される。
【００２９】
次に、操作部４をトップカバー５に組み付ける方法を説明する。この組み付けは以下の（１）〜（３）の順序で行う。
【００３０】
（１）最初に、バネ４２を操作部材４１に組み付ける。
図３と図５を用いて説明すると、バネ４２を縮めながら操作部材４１の収容空間４１ｓ内に入れる。このときに、バネ４２の通し穴４２１ｂを操作部材４１の支持穴４１２ａ，４１３ａに合わせるとともに、脚部４２２，４２２を操作部材４１の切り欠き４１５，４１５に通して抜け出るようにする。
【００３１】
上記のようにバネ４２を操作部材４１の内部に入れた後にバネ４２を伸ばす。すると、図５に示すように操作部材４１の前後の内壁面４１ａ，４１ａにバネ４２の伸縮部４２１が押しつけられて接触した状態になる。つまりバネ４２は、操作部材４１に操作方向Ａ（左右方向）と異なる方向Ｂ（左右方向と水平に直交する前後方向）に押しつけられて接触した状態になる。このようにして操作部材４１とバネ４２とが接触する。
【００３２】
（２）次に、バネ４２が組み付けられた操作部材４１をトップカバー５に組み付ける。
図３と図６を用いて説明すると、トップカバー５の露出口５１に下方から操作部材４１を通す。このときに操作部材４１の支持部４１２，４１３をトップカバー５の支持部５２，５３の内側に配置して双方の支持穴４１２ａ，４１３ａ、５２ａ，５３ａの位置を合わせる。これにより操作部材４１は前後方向の位置が規制される。またバネ４２は、図６に示すように脚部４２２，４２２の屈曲部４２２ｂ，４２２ｂの折り曲げ部分４２２ｃ，４２２ｃをトップカバー５の内面５ｂに接触させる。
【００３３】
（３）次に、トップカバー５と操作部材４１とバネ４２に回転軸４３を通す。
図３と図５を用いて説明すると、回転軸４３の前部４３ａをトップカバー５の後側の支持穴５３ａ、操作部材４１の後側の支持穴４１３ａ、バネ４２の通し穴４２１ｂ、操作部材４１の前側の支持穴４１２ａ、トップカバー５の前側の支持穴５２ａの順に通してこの支持穴５２ａで固定する。このときに、回転軸４３の中間部４３ｂはバネ４２の通し部４２１ａに巻かれた状態となり、後部４３ｃは後側の支持穴５３ａで固定される。
【００３４】
このようにしてトップカバー５と操作部材４１とバネ４２に回転軸４３が通されて固定されることにより、操作部４は操作方向Ａ（左右方向）に回動可能となる。以上のようにしてトップカバー５に操作部４が組み付けられる。トップカバー５に操作部４が組み付けられたものを上側ユニット７と称する。
【００３５】
また、板部材３は、前カバー２の収容口２１に嵌め込んで組み付けられる。板部材３に前カバー２が組み付けられたものを下側ユニット８と称する。この下側ユニット８に上側ユニット７を組み付ける。
【００３６】
図２と図７の（ａ）を用いて説明すると、上側ユニット７の操作部４を下側ユニット８の板部材３の露出口３１に通して、操作部４の押し下げ部４１４，４１４をタクトスイッチ６１，６１のキートップ６１ａ，６１ａに接触させる。この状態で、上側ユニット７のトップカバー５を前カバー２に取り付ける。
【００３７】
このとき、図７の（ａ）に示すようにバネ４２の脚部４２２，４２２の先端４２２ｆ，４２２ｆを板部材３の上面３ａに接触させる。また、脚部４２２，４２２の斜め下方延長部４２２ｅ，４２２ｅの長さは、トップカバー５において折り曲げ部分４２２ｃ，４２２ｃが接触する内面５ｂから板部材３の上面３ａまでの距離よりも長く設定されている。
【００３８】
つまり、上側ユニット７を下側ユニット８に組み付けると、斜め下方延長部４２２ｅは、トップカバー５と板部材３とにより縮められた状態となる。したがって、バネ４２はトップカバー５と板部材３とにより縮められた状態で挟まれて配置されて、バネ４２と板部材３とが接触した状態になる。
【００３９】
したがって、本実施の形態のデジタルカメラの操作部材４１の放電構造では、操作部材４１がバネ４２と接触し、バネ４２が板部材３と接触し、板部材３が前カバー２と接触し、前カバー２が基板６のグランドラインと接触する。つまり、操作部材４１、バネ４２、板部材３、前カバー２、基板６のグランドラインが電気的に接続した状態となる。これにより操作部材４１に静電気が帯電した場合には、静電気は、バネ４２、板部材３、前カバー２を介して基板６のグランドラインに流れて放電される。
【００４０】
また、本実施の形態のデジタルカメラの操作部材４１の放電構造では、図５に示したように操作部材４１に対してバネ４２を操作方向Ａと直交する方向Ｂに押しつけて接触させている。したがって、操作部材４１の操作性はバネ４２のバネ力に依存しないので、バネ４２のバネ力は、操作部材４１の操作性に影響を与えることがない。よって、操作部材４１の操作性に影響を与えずに操作部材４１に帯電した静電気が基板６の信号ラインに流れるのを防ぐことができる。
【００４１】
なお、本実施の形態のデジタルカメラの操作部材４１の放電構造では、操作部材４１に対してバネ４２を操作方向Ａと直交する方向Ｂに押しつけて接触するようにしたが、バネ４２を操作部材４１に押しつける方向は、操作方向Ａと直交する方向Ｂでなくても良く、操作方向Ａと異なる方向であれば良い。
【００４２】
また、本実施の形態のデジタルカメラの操作部材４１の放電構造では、図７の（ａ）に示したように操作部材４１と接触していない部分（脚部４２２，４２２）が一対の部材（トップカバー５と板部材３）により縮められた状態で挟まれて配置されるようにした。これにより、脚部４２２，４２２の先端４２２ｆ，４２２ｆは、バネ４２の戻り力を利用して板部材３の上面３ａに押し付けられる。したがって、バネ４２と板部材３とが確実に接触するので、操作部材４１に帯電した静電気を板部材３に確実に流すことができ、静電気が基板６の信号ラインに流れるのを確実に防ぐことができる。
【００４３】
なお、本実施の形態のデジタルカメラの操作部材４１の放電構造では、板部材３が導電性を有するようにしたが、バネ４２に接触するトップカバー５または板部材３の少なくとも一方が導電性を有すれば良い。つまり、トップカバー５を導電性の部材から形成しても良いし、トップカバー５と板部材３の両方を導電性の部材から形成しても良い。また、バネ４２は板部材３を介して前カバー２に間接的に接触するようにしたが、板部材３を使用せずに前カバー２に直接接触するようにしても良い。
【００４４】
また、本実施の形態のデジタルカメラの操作部材４１の放電構造では、操作部材４１の内部に形成された収容空間４１ｓにバネ４２の中間部分（伸縮部４２１）を配置して操作部材４１に押しつけて接触させ、両端側の部分（脚部４２２，４２２）を操作部材４１の外側に配置して板部材３を介して前カバー２に接触するようにした。つまり、バネ４２の大部分（操作部材４１に接触する部分）を操作部材４１の内部に配置したので省スペース化を図ることができ、デジタルカメラ全体の小型化を図ることができる。
【００４５】
なお、本実施の形態ではバネ４２の大部分を操作部材４１の内部に配置したが、バネ全体を操作部材４１の外側に配置しても良い。例えば、図８に示すように一組のバネ１４２，１４２の伸縮部１４２１を操作部材４１とトップカバー５の支持部５３，５３との間に縮めて配置し、バネ１４２，１４２を操作部材４１の前後の外面４１１ａ，４１１ｂに押しつけて接触させる。バネ１４２，１４２の脚部１４２２，１４２２は板部材３に接触させるか、あるいはトップカバー５を導電性の部材から形成して、導電性の部材から形成したトップカバー５に接触させる。
【００４６】
この場合も、バネ１４２，１４２は操作方向Ａと直交する方向Ｂに押しつけて接触されるので、操作部材４１の操作性はバネ１４２のバネ力に依存しない。よって、操作部材４１の操作性に影響を与えずに操作部材４１に帯電した静電気が基板６の信号ラインに流れるのを防ぐことができる。
【００４７】
また、本実施の形態のようにバネ４２の脚部４２２，４２２（両端側の部分）が操作部材４１の操作方向Ａと同じ方向に配置される場合には、操作部材４１に、脚部４２２，４２２を内側から外側に出す切り欠き４１５，４１５を設けた。さらに、この切り欠き４１５，４１５は、図７の（ｂ）に示すように操作部材４１の操作時に脚部４２２，４２２が操作部材４１と接触しないように形成した。したがって、操作部材４１の操作性の低下を防ぐことができる。
【００４８】
さらに、この切り欠き４１５，４１５により、バネ４２の脚部４２２，４２２と板部材３とは、図７の（ａ）に示す初期状態と、図７の（ｂ）に示す操作状態とで接触状態が変わらない。よって、操作部材４１に帯電した静電気を確実に板部材３へ流すことができ、静電気が基板６の信号ラインに流れるのを確実に防ぐことができる。
【００４９】
以上、本発明に係る実施例を例示したが、この実施例は本発明の内容を限定するものではない。また、本発明の請求項の範囲を逸脱しない範囲であれば、各種の変更等は可能である。
【００５０】
例えば、本実施の形態では、デジタルカメラの操作部材４１に対して本発明を適用した場合を説明したが、他の電子機器の操作部材に対しても本発明を適用しても良い。
【符号の説明】
【００５１】
１    デジタルカメラ本体の前側部分
２    前カバー（筐体）
３    板部材
４    操作部
５    トップカバー
６    基板
４１    操作部材
４１ｓ    バネの収容空間
４２    バネ
４３    回転軸
１４２     バネ
４１５    切り欠き（抜出部）
４２１    バネの伸縮部（中間部分）
４２２    バネの脚部（両端側の部分）
１４２１    バネの伸縮部（中間部分）
１４２２    バネの脚部（両端側の部分）
【先行技術文献】
【特許文献】
【００５２】
【特許文献１】特開２００８−２０３６３２号公報
【図１】
0005729124.tif 000002
【図２】
0005729124.tif 000003
【図３】
0005729124.tif 000004
【図４】
0005729124.tif 000005
【図５】
0005729124.tif 000006
【図６】
0005729124.tif 000007
【図７】
0005729124.tif 000008
【図８】
0005729124.tif 000009